【事件の表示】
　特許第３０９７６９４号「遊技カードシステム」の請求項１乃至４に係る特許に対する特許異議の申立てについて、次のとおり決定する。
【結　論】
　訂正を認める。
　特許第３０９７６９４号の請求項１乃至４に係る特許を維持する。
【理　由】
【１】手続の経緯
　本件特許第３０９７６９４号の請求項１乃至６に係る発明についての出願は、平成１１年６月４日に特許出願され、平成１２年８月１１日にその発明について特許の設定登録がなされ、その後、その請求項１乃至４に係る発明について、申立人・面沢寿江より特許異議の申立てがなされ、取消理由通知がなされ、その指定期間内である平成１３年９月１７日に訂正請求がなされたものである。
　
【２】訂正の適否についての判断
［２−１］訂正の内容
　特許権者が請求する訂正の内容は、以下のとおりのものである。
　ア．訂正事項ａ
　　特許請求の範囲の請求項１における「受け付けたＩＣカードの種類を識別する受付識別手段」を「受け付けたＩＣカードが、金額情報が書き込まれたＩＣカードであるか、金額情報及び遊技機本体で獲得した金額代替物の貯留情報が書き込まれたＩＣカードであるかの種類を識別する受付識別手段」と訂正する。
　イ．訂正事項ｂ
　　明細書の段落【００２２】中の「受け付けたＩＣカードの種類を識別する受付識別手段」を「受け付けたＩＣカードが、金額情報が書き込まれたＩＣカードであるか、金額情報及び遊技機本体で獲得した金額代替物の貯留情報が書き込まれたＩＣカードであるかの種類を識別する受付識別手段」と訂正する。
［２−２］訂正の目的の適否、新規事項の有無、特許請求の範囲の実質的拡張あるいは変更の有無
　上記訂正事項ａは、ＩＣカードの種類を明細書の実施例のとおりに限定するものであるから、特許請求の範囲の減縮を目的とした明細書の訂正に該当する。
　また、上記訂正事項ｂは、上記訂正事項ａとの整合を図るものであるから、明りょうでない記載の釈明を目的とした明細書の訂正に該当する。
　そして、上記いずれの訂正事項も、新規事項の追加に該当せず、ＩＣカードを有効に循環させて再使用することができる遊技カードシステムの提供という課題に変更を及ぼすものでもないから、実質上特許請求の範囲を拡張又は変更するものでもない。
［２−３］訂正の適否についての結論
　したがって、上記の訂正は、特許法第１２０条の４第２項及び同条第３項で準用する同法第１２６条第２項及び第３項の規定に適合するので、当該訂正を認める。
　
【３】特許異議の申立てについての判断
［３−１］本件請求項１乃至４に係る発明
　上記【２】で示したように上記訂正が認められるから、本件請求項１乃至４に係る発明（以下、「本件発明１乃至４」という。）は、上記訂正請求に係る訂正明細書の特許請求の範囲の請求項１乃至４に記載された事項により特定される次のとおりのものである。
「【請求項１】　遊技機本体、該遊技機本体に対応して設けられた金額代替物を貸し出す貸ユニット、これら遊技機本体又は貸ユニットのいずれかに設けられたカードユニットとを有し、前記カードユニットは、所定条件の下でＩＣカードを収納し貯蔵しておく収納貯蔵手段と、投入した金額情報を書き込んで前記収納貯蔵手段からＩＣカードを発券する発券手段と、ＩＣカードが発券可能か否かの判別を行う判別手段と、この判別手段により発券不能と判別されたＩＣカードを回収する回収手段と、ＩＣカードを受け付けると共に受け付けたＩＣカードが、金額情報が書き込まれたＩＣカードであるか、金額情報及び遊技機本体で獲得した金額代替物の貯留情報が書き込まれたＩＣカードであるかの種類を識別する受付識別手段と、この受付識別手段によって識別されたＩＣカードの種類に応じてＩＣカードから情報を読み出して前記遊技機本体及び前記貸ユニットを制御する制御手段とを備えたことを特徴とする遊技カードシステム。
【請求項２】　カードユニットに、新たに追加投入された金額情報をＩＣカードに追加して書き込む追加書込手段を備えたことを特徴とする請求項１に記載の遊技カードシステム。
【請求項３】　カードユニットに、排出操作を指示したときに、金額情報が書き込まれたＩＣカードの場合、金額情報の有無に拘わらず使用中のＩＣカードを外部に排出し、また、金額情報及び遊技機本体で獲得した金額代替物の貯留情報が書き込まれたＩＣカードの場合、金額情報の有無及び金額代替物の貯留情報の有無に拘わらず使用中のＩＣカードを外部に排出する排出手段を備えたことを特徴とする請求項１又は２に記載の遊技カードシステム。
【請求項４】　遊技機本体、貸ユニット、及びカードユニットに加え、さらに遊技機本体で獲得した金額代替物を計数する計数器を有し、前記計数器は、ＩＣカードを受け付けると共に受け付けたＩＣカードの種類を識別する受付識別手段と、遊技機本体によって獲得した金額代替物を計数する計数手段と、前記受付識別手段で金額情報が書き込まれたＩＣカードが識別されたとき、又は前記受付識別手段で金額情報が書き込まれたＩＣカードと金額情報及び貯留情報が書き込まれたＩＣカードのいずれもが識別されないときに、前記計数手段で計数された貯留情報を記録した記録媒体を発行する発行手段と、前記受付識別手段で金額情報及び貯留情報とが書き込まれたＩＣカードが識別されたとき、前記計数手段で計数された貯留情報をそのまま又は金額情報に変換して書き込む書込手段とを備えたことを特徴とする請求項１〜３のいずれかに記載の遊技カードシステム。」
［３−２］異議の申立ての理由の概要
　異議申立人・面沢寿江は、甲第１号証として特開平９−２５９３３４号公報を、甲第２号証として特開平１０−９４６６３号公報を、甲第３号証として特開平１０−１２７９０６号公報を、甲第４号証として特開平８−２９９５７７号公報を、甲第５号証として実願平５−４９３０２号（実開平７−２７６６７号）のＣＤ−ＲＯＭを、甲第６号証として実願平５−４９３１１号（実開平７−１５０８８号）のＣＤ−ＲＯＭを、甲第７号証として特開平８−３２９３２５号公報を、甲第８号証として特開平１０−１９２５２６号公報を、甲第９号証として特開平９−１８００３５号公報を、甲第１０号証として特開平１０−１６２２１１号公報を、そして甲第１１号証として実願平３−７９８３５号（実開平５−２１９８９号）のＣＤ−ＲＯＭを、それぞれ提出し、本件発明１乃至４は、甲第１号証乃至甲第１１号証に記載された事項を適宜組み合せることにより当業者が容易に想到できた発明であり、その特許は特許法第２９条第２項の規定に違反してなされたものであるから、取り消されるべきである旨主張している。
［３−３］甲各号証に記載の事項
［３−３−１］甲第１号証（特開平９−２５９３３４号公報）には、
　遊技機本体４（本件発明１乃至４における「遊技機本体」に対応する。以下、括弧内は本件発明１乃至４における対応部分を示す。）、該遊技機本体４の側部に（対応して）設けられたパチンコ球（金額代替物）を貸し出す台間ユニット５（貸ユニット）、台間ユニット５（これら遊技機本体又は貸ユニットのいずれか）に設けられたカードユニット８（カードユニット）とを有し、前記カードユニット８は、価値情報１２が無価値となっている（所定条件の下で）ＩＣカードを収納（収納し貯蔵）しておくカード在庫収納部２９（収納貯蔵手段）と、投入した金額（金額情報）を入力して（書き込んで）前記カード在庫収納部２９からＩＣカードを発行（発券）するカード発行部３４（発券手段）と、ＩＣカードが汚損・破損により使用不能になっていないかの識別（発券可能か否かの判別）を行うカードデータ読取書込部２８（判別手段）と、このカードデータ読取書込部２８により使用不能と識別（発券不能と判別）されたＩＣカードを回収する第２回収手段３０（回収手段）と、ＩＣカードを受入れる（受け付ける）と共に受入れたＩＣカードが正常なものであるか否かを識別する識別手段Ｓ３（受付識別手段）と、この識別手段Ｓ３によって正常なものであると識別されたＩＣカードから情報を読み出して前記遊技機本体４及び前記台間ユニット５を制御するメイン基盤１１およびホストコンピュータ（制御手段）とを備えた遊技場におけるプリペイドカードシステム（遊技カードシステム）、
が記載されている。
［３−３−２］甲第２号証（特開平１０−９４６６３号公報）には、
　遊技機８（遊技機本体）に設けられたＩＣカード処理装置７（カードユニット）が、ＩＣカードが挿入される（を受け付ける）と共に挿入されたＩＣカードがＩＣカード発行加算機２００で発行されたＩＣカードであるのか、あるいは会員情報が記録され（書き込まれ）種々の特典を受けることができるＩＣカードであるのかのＩＣカードの種類を照合（識別）する照合処理手段（受付識別手段）と、この照合処理手段によって照合されたＩＣカードの種類に応じてＩＣカードから情報を読み出して前記遊技機８等を制御するコンピュータ等（制御手段）とを備えた遊技用システム（遊技カードシステム）、
が記載されている。
［３−３−３］甲第３号証（特開平１０−１２７９０６号公報）には、
　遊技機８（遊技機本体）に設けられたカードユニット７（カードユニット）が、カードが挿入される（を受け付ける）と共に挿入されたカードが会員カードであるのか、あるいはビジターカードであるのかのカードＮｏ．を読込む読込処理手段（受付識別手段）と、この読込処理手段によって読込まれたカードＮｏ．に応じてカードから情報を読み出して玉貸しを行なう貸玉処理手段（制御手段）とを備えた遊技用装置（遊技カードシステム）、
が記載されている。
［３−３−４］甲第４号証（特開平８−２９９５７７号公報）には、
　貸し玉可能な金額（金額情報）があらかじめ記憶された（書き込まれた）磁気カードからなる貸玉カード３１、そして利用者を特定可能な情報および貸し玉可能な金額（金額情報）があらかじめ記憶され（書き込まれ）取得玉（遊技機本体で獲得した金額代替物）を新たにカードごとにゲームホール側管理コンピュータ５３に記録し貯玉として記憶させることができる磁気カードまたはＩＣカードからなる会員カード、
が記載されている。
［３−３−５］甲第５号証（実願平５−４９３０２号のＣＤ−ＲＯＭ、甲第６号証（実願平５−４９３１１号のＣＤ−ＲＯＭ）、甲第７号証（特開平８−３２９３２５号公報）そして甲第８号証（特開平１０−１９２５２６号公報）には、それぞれ、
（１）遊技台（遊技機本体）で獲得したパチンコ玉やメダル等の遊技媒体（金額代替物）を計数するパチンコ玉計数機２５およびメダル計数機２６（計数器）、
（２）パチンコ、パチスロ等の遊技により獲得したパチンコ玉やメダル等の賞球類（金額代替物）を計数するパチンコ玉計数機２５およびメダル計数機２６（計数器）、
（３）パチンコ玉（金額代替物）を計数する計数機４（計数器）、そして
（４）パチンコ機２（遊技機本体）により付与される景品玉（金額代替物）を計数する景品玉計数器７（計数器）、
が記載されている。
［３−３−６］甲第９号証（特開平９−１８００３５号公報）、甲第１０号証（特開平１０−１６２２１１号公報）そして甲第１１号証（実願平３−７９８３５号のＣＤ−ＲＯＭ）には、それぞれ
（１）メダル貸出装置１（貸ユニット）にカード処理ユニット２７（カードユニット）が設けられ、投入された金額価値（金額情報）等を書き込んでカード収容部３８（収納貯蔵手段）からカードを発行すること、
（２）台間機（貸ユニット）にカード処理機構（カードユニット）が設けられ、紙幣が投入されると所定の情報（金額情報）が記録されたカードを発行すること、そして
（３）遊戯カード処理装置１（貸ユニット）にカード発行部２０等を備えるカード処理部１９（カードユニット）が設けられ、貨幣が投入されると金額価値に応じたデータ（金額情報）が書き込まれた遊戯カード１８を発行すること、
が記載されている。
［３−４］本件発明１乃至４と甲各号証に記載の事項との対比・判断
　本件発明１乃至４と上記甲各号証に記載の事項とを対比すると、上記甲各号証のいずれにも、本件発明１乃至４を共通して特定する事項である、「金額情報が書き込まれたＩＣカードであるか、金額情報及び遊技機本体で獲得した金額代替物の貯留情報が書き込まれたＩＣカードであるかの種類を識別する受付識別手段」について記載されておらず、また、かかる構成を示唆する記載もない。
　そして、本件発明１乃至４は、上記の構成を有することにより、
『カードユニット内でＩＣカードを循環させて再使用することができ、また、各種のＩＣカードも受け付け、そのＩＣカードを識別して種類に応じた情報に基づいて遊技を行うことが可能となる。』（特許明細書における段落【０１０３】の【発明の効果】参照）という効果を奏するものと認められる。
　それ故、本件発明１乃至４が、上記甲第１乃至１１号証のいずれかに記載されたものであるとも、また、それらの記載事項に基いて当業者が容易に発明をすることができたものであるとも、認めることができない。
［３−５］むすび
　以上のとおりであるから、本件特許異議申立ての理由および証拠によっては、本件発明１乃至４の特許を取り消すことはできない。
　また、他に本件発明１乃至４の特許を取り消すべき理由を発見しない。
　よって、結論のとおり決定する。
【異議決定日】
平成１３年９月２７日（２００１．９．２７）
【訂正の要旨】
訂正の要旨
（１）訂正事項ａ
　特許請求の範囲の請求項１における「受け付けたＩＣカードの種類を識別する受付識別手段」を「受け付けたＩＣカードが、金額情報が書き込まれたＩＣカードであるか、金額情報及び遊技機本体で獲得した金額代替物の貯留情報が書き込まれたＩＣカードであるかの種類を識別する受付識別手段」と訂正する。
（２）訂正事項ｂ
　明細書の段落【００２２】中の「受け付けたＩＣカードの種類を識別する受付識別手段」を「受け付けたＩＣカードが、金額情報が書き込まれたＩＣカードであるか、金額情報及び遊技機本体で獲得した金額代替物の貯留情報が書き込まれたＩＣカードであるかの種類を識別する受付識別手段」と訂正する。
（５４）【発明の名称】
遊技カードシステム
（５７）【特許請求の範囲】
　【請求項１】　遊技機本体、該遊技機本体に対応して設けられた金額代替物を貸し出す貸ユニット、これら遊技機本体又は貸ユニットのいずれかに設けられたカードユニットとを有し、前記カードユニットは、所定条件の下でＩＣカードを収納し貯蔵しておく収納貯蔵手段と、投入した金額情報を書き込んで前記収納貯蔵手段からＩＣカードを発券する発券手段と、ＩＣカードが発券可能か否かの判別を行う判別手段と、この判別手段により発券不能と判別されたＩＣカードを回収する回収手段と、ＩＣカードを受け付けると共に受け付けたＩＣカード
が、金額情報が書き込まれたＩＣカードであるか、金額情報及び遊技機本体で獲得した金額代替物の貯留情報が書き込まれたＩＣカードであるか
　【請求項２】　カードユニットに、新たに追加投入された金額情報をＩＣカードに追加して書き込む追加書込手段を備えたことを特徴とする請求項１に記載の遊技カードシステム。
　【請求項３】　カードユニットに、排出操作を指示したときに、金額情報が書き込まれたＩＣカードの場合、金額情報の有無に拘わらず使用中のＩＣカードを外部に排出し、また、金額情報及び遊技機本体で獲得した金額代替物の貯留情報が書き込まれたＩＣカードの場合、金額情報の有無及び金額代替物の貯留情報の有無に拘わらず使用中のＩＣカードを外部に排出する排出手段を備えたことを特徴とする請求項１又は２に記載の遊技カードシステム。
　【請求項４】　遊技機本体、貸ユニット、及びカードユニットに加え、さらに遊技機本体で獲得した金額代替物を計数する計数器を有し、前記計数器は、ＩＣカードを受け付けると共に受け付けたＩＣカードの種類を識別する受付識別手段と、遊技機本体によって獲得した金額代替物を計数する計数手段と、前記受付識別手段で金額情報が書き込まれたＩＣカードが識別されたとき、又は前記受付識別手段で金額情報が書き込まれたＩＣカードと金額情報及び貯留情報が書き込まれたＩＣカードのいずれもが識別されないときに、前記計数手段で計数された貯留情報を記録した記録媒体を発行する発行手段と、前記受付識別手段で金額情報及び貯留情報とが書き込まれたＩＣカードが識別されたとき、前記計数手段で計数された貯留情報をそのまま又は金額情報に変換して書き込む書込手段とを備えたことを特徴とする請求項１〜３のいずれかに記載の遊技カードシステム。
　【請求項５】　計数器の受付識別手段で金額情報が書き込まれたＩＣカードが識別されたとき、又は金額情報が書き込まれたＩＣカードと金額情報及び貯留情報が書き込まれたＩＣカードのいずれもが識別されないときに、計数した遊技場でのみ使用可能な新たなＩＣカードに、計数手段で計数した貯留情報をそのまま又は金額情報に変換して書き込んで発券する制限発券手段を発行手段に代えて備えたことを特徴とする請求項４に記載の遊技カードシステム。
　【請求項６】　計数器の受付識別手段で金額情報が書き込まれたＩＣカード、又は金額情報及び貯留情報が書き込まれたＩＣカードのいずれかが識別されたとき、計数手段で計数した貯留情報を、所定レートにて換金するための換金情報に変換して書き込み、前記受付識別手段で金額情報が書き込まれたＩＣカード、金額情報及び貯留情報が書き込まれたＩＣカードのいずれもが識別されないとき、換金情報を書き込み、かつ金額情報が書き込み可能な新たなＩＣカードを発券する制限発券手段を発行手段に代えて設けたことを特徴とする請求項４に記載の遊技カードシステム。
【発明の詳細な説明】
　【０００１】
　【発明の属する技術分野】
　本発明は、遊技場において、ＩＣカードを有効に循環させて再使用することができ、また、利便性が損なわれることなく遊技することが可能な遊技カードシステムに関するものである。
　【０００２】
　【従来の技術】
　パチンコ店等の遊技場では、磁気的手段によって金額情報が書き込まれたプリペイドカードを使用した遊技システムが採用されている。この遊技システムは、予め所定の金額分の情報が書き込まれたプリペイドカードを購入し、遊技機本体に対応して通常は該遊技機本体の側部に設けられ、パチンコ玉やメダルを貸し出す貸ユニットに該プリペイドカードを挿入し、プリペイドカードに記憶された金額情報の範囲内で所定の金額を指定すると、指定した金額分のパチンコ玉やメダルが貸し出され、遊技機本体での遊技が可能となる。
　【０００３】
　そして、パチンコ玉やメダルが指定した金額分だけ貸し出されると、その分の金額情報がプリペイドカードから減算され、金額情報が無くなると、そのプリペイドカードは、使用不可能となり、使用者に返却される。この種の遊技システムは、遊技に現金を使う必要がないので、遊技中に両替等のために席を離れたりするといった煩わしさが解消され、遊技者にとっては利便性がよいといった長所がある。
　【０００４】
　しかし、上記した遊技システムでは、プリペイドカードの金額情報が無くなった場合には、新たなプリペイドカードを購入するために、遊技場の所定位置に設けられた発券機に行く必要が生じ、現金を使用する場合に較べて両替のために席を離れる頻度こそ減少するものの、席を離れなければならないといった状況は依然として解消されない。また、こうした不便さによって遊技場の売り上げが停滞することもあった。
　【０００５】
　また、上記した遊技システムでは、通常プリペイドカードでのみ遊技可能となっており、プリペイドカードの最後の金額情報に基づいて貸し出されたパチンコ玉やメダルが残りわずかとなった瞬間に、遊技におけるいわゆる「大当たり」等に遭遇してさらにパチンコ玉やメダルが必要になると、現金を投入することができないので、あわててプリペイドカードを購入しに行かなくてはならないといった事態が発生しており、また、そうした事態について未解決のままであった。
　【０００６】
　そこで、これらの不具合を解消し、さらに遊技者の利便性を考慮した遊技システムとして、次のような遊技システムがある。一つは、上記した遊技システムにおいて、金額を投入可能でかつプリペイドカードを使用可能な貸ユニットを遊技機に対応して設けた遊技システムである。この遊技システムは、上記したように、プリペイドカードで遊技し、プリペイドカードの金額情報が無くなったときには、貸しユニットに金額を投入すれば続けて遊技を行うことができる。
　【０００７】
　もう一つは、上記した遊技システムにおいて、貸ユニットにてプリペイドカードを発券する遊技システムである。この遊技システムは、貸ユニットに金額を投入すると、貸ユニットからその金額に応じたプリペイドカードが発券口から発券され、さらに発券口に発券されたプリペイドカードを再度発券口に押し込むことでパチンコ玉やメダルが貸し出される。
　【０００８】
　そして、発券されたプリペイドカードは、押し込み長さで金額情報の減算程度が異なり、プリペイドカードの全長を発券口に押し込むことで、購入金額情報の全てのパチンコ玉やメダルが貸し出され、プリペイドカードは貸ユニット内に回収される。さらに、プリペイドカードが全て押し込まれて回収されたときに新たに金額を投入することで、新たなプリペイドカードが発券され、プリペイドカードのみによって続けて遊技を行うことが可能とされている。
　【０００９】
　ところで、上記した遊技システムに使用されているプリペイドカードは、いわゆる磁気カードであり、この磁気カードは、単なる記録媒体であり、自身に積極的な防護機能を有していない。従って、近年では、上記した遊技システムの普及と共に、内容を書き換えて偽造した不正磁気カードが出回り、不正磁気カードによって遊技が行われ、遊技場やカード供給会社に大きな損害を与えるといった問題があった。
　【００１０】
　こうした問題を解消するために、例えば、プリペイドカードを発券遊技場でのみ使用可能にするなどといった対策が講じられているが、このようにすると、どの遊技場でも使用可能であるといったプリペイドカードの利便性が損なわれてしまうといった新たな問題が生じている。
　【００１１】
　そこで、上記した遊技システムに、不揮発性半導体メモリを備えた制御部などから構成され、セキュリティ回路やプログラムさらには各種の情報を有したＩＣチップを搭載したＩＣカードを磁気カードに代えてプリペイドカードに使用することが提案されている。
　【００１２】
　【発明が解決しようとする課題】
　しかしながら、ＩＣカードを上記した遊技システムに使用した場合、ＩＣカードが磁気カードに較べて非常に高価であるため、遊技場に与えるコストが大きくなるという難点がある。この難点を解消するものとして、ＩＣカードが磁気カードより安全性の高いことを生かし、使用されたＩＣカードのデータを更新して再使用し、再使用を繰り返して一回の使用毎の単価を下げることが考えられる。
　【００１３】
　遊技場で使用されるＩＣカードを再使用する観点から見ると、上記した遊技システムのうち、貸ユニットにてプリペイドカードを発券する既存の遊技システムは、発券されたプリペイドカードが貸ユニット内に回収されるものの、回収したプリペイドカードを再使用させるようにはなっていない。
　【００１４】
　つまり、貸ユニットにてプリペイドカードを発券するだけの遊技システムにおいては、貸ユニットで回収したプリペイドカードをカード会社が一括して引き取って、一方で遊技場では新たにカード会社から回収した分に対応するプリペイドカードを購入して貸ユニットにプリペイドカードを供給するといった手順で循環しているが、この手順では手間やコストがかかり、また、人手を介する作業であるためにプリペイドカードが改竄されるといった危険が伴うので、単に磁気カードをＩＣカードに代えてもこの問題は解消されない。ちなみに、こうした手順で磁気カード製のプリペイドカードを再使用したとしても、せいぜい数百回が限度である。
　【００１５】
　本発明は、上記の問題を解決するものであり、ＩＣカードを有効に循環させて再使用することができ、また、利便性が損なわれることなく遊技することと、遊技場の売り上げ増大に寄与できる遊技カードシステムを提供することを目的とする。
　【００１６】
　【課題を解決するための手段】
　上記の目的を達成するために、本発明の遊技カードシステムは、遊技機本体、該遊技機本体に対応して設けられた金額代替物を貸し出す貸ユニット、これら遊技機本体又は貸ユニットのいずれかに設けられたカードユニットとを有し、カードユニットに、収納貯蔵手段、発券手段、判別手段、回収手段、受付識別手段、及び制御手段を備えたのである。このようにすることで、カードユニット内でＩＣカードを循環させて再使用することができ、また、発券手段で発券されたＩＣカードのみならず各種のＩＣカードも受け付け、そのＩＣカードを識別して種類に応じた情報に基づいて遊技を行うことが可能となる。
　【００１７】
　また、上記構成において、カードユニットに、新たに追加投入された金額情報をＩＣカードに追加して書き込む追加書込手段を備えることで、現在使用中のＩＣカードに金額情報を追加し、続けて遊技を行うこともできる。
　【００１８】
　また、上記構成において、カードユニットに、排出操作を指示したときに、金額情報が書き込まれたＩＣカードの場合、金額情報の有無に拘わらず使用中のＩＣカードを外部に排出し、また、金額情報及び遊技機本体によって獲得した金額代替物の貯留情報が書き込まれたＩＣカードの場合、金額情報の有無及び金額代替物の貯留情報の有無に拘わらず使用中のＩＣカードを外部に排出する排出手段を備えれば、多数の遊技機本体に対してＩＣカードを使用することが可能となり、ＩＣカードを効率よく使用することができる。
　【００１９】
　また、上記構成に、受付識別手段、計数手段、記録媒体の発行手段、及びＩＣカードヘの書込手段を備えた計数器を備えることで、受付識別手段で金額情報が書き込まれたＩＣカードが識別されたとき、又は金額情報が書き込まれたＩＣカードと金額情報及び貯留情報が書き込まれたＩＣカードのいずれもが識別されないときに、計数手段で計数された貯留情報を記録した記録媒体を発行し、また、受付識別手段で金額情報と貯留情報とが書き込まれたＩＣカードが識別されたときは、計数手段で計数された貯留情報をそのまま又は金額情報に変換して書き込むことができる。
　【００２０】
　また、計数器において発行手段に代えて制限発券手段を備えれば、受付識別手段で金額情報が書き込まれたＩＣカードが識別されたとき、又は金額情報が書き込まれたＩＣカードと金額情報及び貯留情報が書き込まれたＩＣカードのいずれもが識別されないときには、計数した遊技場でのみ使用可能な新たなＩＣカードに、計数手段で計数した貯留情報をそのまま又は金額情報に変換して書き込んで発券することができる。
　【００２１】
　また、制限発券手段を、受付識別手段で金額情報が書き込まれたＩＣカード、又は金額情報及び貯留情報が書き込まれたＩＣカードのいずれかが識別されたとき、計数手段で計数した貯留情報を、所定レートにて換金するための換金情報に変換して書き込み、また、受付識別手段で金額情報が書き込まれたＩＣカード、金額情報及び貯留情報が書き込まれたＩＣカードのいずれもが識別されないとき、換金情報を書き込み、かつ金額情報が書き込み可能な新たなＩＣカードを発券するようにすれば、ＩＣカードを使用した換金も自在に行える。
　【００２２】
　【発明の実施の形態】
　本発明の遊技カードシステムは、遊技機本体、該遊技機本体に対応して設けられた金額代替物を貸し出す貸ユニット、これら遊技機本体又は貸ユニットのいずれかに設けられたカードユニットとを有し、カードユニットは、所定の条件の下でＩＣカードを収納し貯蔵しておく収納貯蔵手段と、投入した金額情報を書き込んで収納貯蔵手段からＩＣカードを発券する発券手段と、ＩＣカードが発券可能か否かの判別を行う判別手段と、この判別手段により発券不能と判別されたＩＣカードを回収する回収手段と、ＩＣカードを受け付けると共に受け付けたＩＣカード
が、金額情報が書き込まれたＩＣカードであるか、金額情報及び遊技機本体で獲得した金額代替物の貯留情報が書き込まれたＩＣカードであるか
　【００２３】
　以下、本発明において、「遊技機本体」とは、具体的にはパチンコ台やスロット台のように遊技を行うもの自身をいう。また、「金額代替物」とは、遊技機本体がパチンコの場合はパチンコ玉、遊技機本体がスロット台の場合はメダルをいう。さらに、「貸ユニット」とは、一般的に遊技機本体の１台に対応して近傍に設けられ、金額代替物を貸し出し、遊技機本体に供給するものをいう。
　【００２４】
　また、ＩＣカードは、各種の情報を有しているが、本発明では、ＩＣカードに有した各種の情報のうち、遊技機本体の作動及び貸ユニットの金額代替物貸し出し動作を、金額情報と貯留情報とによって制御可能としている。
　【００２５】
　すなわち、「ＩＣカード」は、各種の情報のうち遊技機本体及び貸ユニットの制御する情報として金額情報のみが書き込まれたものを、「金額情報が書き込まれたＩＣカード」と定義し、また、各種の情報のうち遊技機本体及び貸ユニットの制御する情報として該遊技機本体で獲得した金額代替物の貯留情報と金額情報が書き込まれたものを、「金額情報及び遊技機本体によって獲得した金額代替物の貯留情報が書き込まれたＩＣカード」と定義することとする。
　【００２６】
　以下、「金額情報が書き込まれたＩＣカード」を「汎用ＩＣカード」と、「金額情報及び遊技機本体によって獲得した金額代替物の貯留情報が書き込まれたＩＣカード」を「登録ＩＣカード」ということとする。
　【００２７】
　汎用ＩＣカードと登録ＩＣカードの大きな違いは、汎用ＩＣカードは、本発明の遊技カードシステムが導入された遊技場であればどこでも金額情報によって遊技が行え、登録ＩＣカードは、本発明の遊技カードシステムが導入された遊技場であればどこでも金額情報によって遊技が行えるうえ、登録ＩＣカードを発券した遊技場においては金額代替物の貯留情報によって遊技が行える点である。
　【００２８】
　また、本発明において、「換金情報」とは、ＩＣカードにおける情報の１つとして金額代替物の貯留情報を変換して、所定レートで換金するための情報をいう。もちろん、金額情報に基づいて現金に換えることもできる。
　【００２９】
　そして、上記構成の遊技カードシステムは、例えばカードユニットが貸ユニットに設けられている場合、以下のように動作する。いま、初めて汎用ＩＣカードを購入した場合について説明する。収納貯蔵手段には汎用ＩＣカードが予め所定の枚数貯蔵されており、遊技者が金額を投入すると、収納貯蔵手段から汎用ＩＣカードが発券手段に供給され、例えばこのときに、判別手段により発券手段に供給された汎用ＩＣカードが発券可能か否かが判別される。この判別は、例えば発券手段に供給された汎用ＩＣカードが有する再使用回数情報等を読み出して判断することで行われる。
　【００３０】
　そして、判別手段によって収納貯蔵手段から供給された汎用ＩＣカードが発券可能であると判別された場合は、投入金額に応じた金額情報を発券手段にて汎用ＩＣカードに書き込んで発券する。なお、以下の説明では判別手段による判別を発券時に行うようにした例を示すが、収納貯蔵手段へＩＣカードを送る際に行ってもよい。
　【００３１】
　収納貯蔵手段から供給され発券された汎用ＩＣカードは、受付識別手段によって受け付けられ、金額情報が書き込まれたＩＣカードであることが識別される。そして、汎用ＩＣカードの金額情報が貸ユニット又は遊技機本体に表示される。一方、判別手段によって発券不可能であると判別された場合は、回収手段に送られる。この回収手段に回収された汎用ＩＣカードは、カード供給会社又は遊技場の係員に引き取られるべくメンテナンス時までここに貯蓄されている。
　【００３２】
　制御手段は、発券され受け付けられた汎用ＩＣカードの情報を読み出し、遊技者によって当該金額情報の範囲内で指定された金額情報に応じた金額分だけ貸ユニットを制御して金額代替物を貸し出し、また、その金額情報を汎用ＩＣカードの金額情報から減算する。一方、遊技機本体は、貸し出された金額代替物によって遊技される。
　【００３３】
　遊技によって、現在受け付けている汎用ＩＣカードの金額情報が無くなると、汎用ＩＣカードは収納貯蔵手段に送られる。なお、前記したように、収納貯蔵手段に送られるときに判別手段でもって発券可、不可の判別を行って、可能なときは収納貯蔵手段へ、不可のときは回収手段へ送るようにしてもよい。
　【００３４】
　ここで、例えば本発明の遊技カードシステムのカードユニットに、追加書込手段を備えた場合は、汎用ＩＣカードの金額情報が無くなったときや無くなる前に、新たに金額を追加すれば、新たに追加投入された金額情報が汎用ＩＣカードに追加して書き込まれるので、同一の汎用ＩＣカードにて連続して遊技を行うことが可能となる。追加書込手段を備えていない場合は、金額情報が無くなると、上記したように再使用のために収納貯蔵手段に送られる。
　【００３５】
　また、例えば本発明の遊技カードシステムのカードユニットに、排出手段を備えた場合は、排出操作を指示したときに、金額情報の有無に拘わらず使用中の汎用ＩＣカードを外部に排出することが可能となる。
　【００３６】
　排出手段を備えた場合、汎用ＩＣカードが使用途中で外部に取り出され、この取り出した汎用ＩＣカードで他の遊技機本体にて遊技を行うには、遊技者が他の遊技機本体へ向け外部から汎用ＩＣカードを挿入し、これにより受付識別手段により受け付けられ、汎用ＩＣカードと識別され、現在の金額情報の範囲内で遊技を行うことができる。
　【００３７】
　そして、金額情報が無くなったとき、上記した追加書込手段を備えていれば金額を投入して続けて遊技を行うことができ、上記した追加書込手段を備えていなければ上記同様に収納貯蔵手段へ送られる。なお、排出手段を備えていない場合、その汎用ＩＣカードは、金額情報が無くなるまで使用され、金額情報が無くなると上記のように再使用のために収納貯蔵手段へ送られる。
　【００３８】
　次に、登録ＩＣカードが外部から挿入されたときについて説明する。登録ＩＣカードは、例えば遊技場において所定の手続を行って発券され、個人情報などを有しており、本発明の遊技カードシステムを導入している遊技場ならどこでも金額情報に基づいて遊技が可能であるうえ、登録ＩＣカードを発券した遊技場であれば、以前に獲得した金額代替物の貯留情報に基づいて遊技を行うこともできる。ここでの説明では、登録ＩＣカードを発券した遊技場にて登録ＩＣカードを使用する場合について説明する。
　【００３９】
　登録ＩＣカードが外部から挿入されると、受付識別手段にて受け付けられ、登録ＩＣカードであることが識別される。ここで登録ＩＣカードであることが識別されると、制御手段は、受け付けられた登録ＩＣカードの情報、つまり金額情報と貯留情報とを読み出す。
　【００４０】
　そして、制御手段は、遊技者によってその登録ＩＣカードにおける現在の金額情報及び貯留情報の範囲内で指定された金額情報又は貯留情報に応じて、貸ユニットを制御して金額代替物を貸し出し、また、その金額情報又は貯留情報を登録ＩＣカードの金額情報又は貯留情報から減算する。一方、遊技機本体は、貸し出された金額代替物によって遊技される。なお、登録ＩＣカードを使用しているとき、金額情報が無くなったら貯留情報で、貯留情報が無くなったら金額情報で、遊技を行うことも可能である。
　【００４１】
　ここで、例えば本発明の遊技カードシステムのカードユニットに、追加書込手段を備えた場合は、登録ＩＣカードの金額情報が無くなったとき又は無くなる前に、新たに金額を追加すれば、新たに追加投入された金額情報が登録ＩＣカードに追加して書き込まれるので、同一の登録ＩＣカードにて金額情報に基づいて連続して遊技を行うことが可能となる。なお、追加書込手段を備えていない場合、登録ＩＣカードは、金額情報及び貯留情報が無くなるまで使用され、金額情報及び貯留情報が無くなると外部に排出され、遊技者に返却される。
　【００４２】
　また、例えば本発明の遊技カードシステムのカードユニットに、排出手段を備えた場合は、排出操作を指示したときに、金額情報の有無及び貯留情報の有無に拘わらず使用中の登録ＩＣカードを外部に排出することが可能である。
　【００４３】
　排出手段を備えた場合、上記した登録カードは、使用途中で外部に取り出して、現在の金額情報に基づいて、本発明の遊技カードシステムが採用されたどの遊技場でも使用することができ、また、現在の金額情報及び貯留情報に基づいて、本発明の遊技カードシステムが採用され、かつ登録カードの発券された遊技場で使用することができる。
　【００４４】
　なお、「発券された遊技場」とは、当該登録ＩＣカードに書き込まれた登録情報のうち、発券情報を共有する他の遊技場、例えばチェーン店などをいう。従って登録ＩＣカードは、チェーン店間で上記同様に使用することができる。
　【００４５】
　ここで、排出手段にて使用途中で外部に排出された登録ＩＣカードを、登録ＩＣカードが発券された遊技場ではない他の遊技場で使用する場合、現在の金額情報の範囲内で遊技を行い、金額情報が無くなったとき、追加書込手段を備えていれば新たに金額を投入して続けて金額情報に基づいて遊技を行うことができ、追加書込手段を備えていなければ外部に排出され、遊技者に返却される。
　【００４６】
　一方、排出手段にて使用途中で外部に排出された登録ＩＣカードを、登録ＩＣカードが発券された遊技場で使用する場合、現在の金額情報及び貯留情報の範囲内で遊技を行い、金額情報及び貯留情報が無くなったとき、追加書込手段を備えていれば新たに金額を投入して金額情報に基づいて続けて遊技を行うことができ、追加書込手段を備えていなければ外部に排出され、遊技者に返却される。
　【００４７】
　排出手段を備えていない場合、登録ＩＣカードは、金額情報及び貯留情報が無くなるまで使用され、金額情報及び貯留情報が無くなると外部に排出され、遊技者に返却される。ちなみに、登録ＩＣカードは、個人情報が含まれているので、汚損や破損、使用回数が所定回数に達した場合、あるいは偽造などといった例外的な事態を除いて、基本的には遊技者に返却される。
　【００４８】
　ここまでの説明において、遊技機本体にて獲得した金額代替物は、計数器によって計数され、この数がレシートやカードなどの記録媒体に記録されて発行され、通常のように、換金されたり景品に交換されたりする。このとき、以下のように構成すれば、さらに遊技者の利便性が向上する。
　【００４９】
　すなわち、本発明の遊技カードシステムは、上記構成において、遊技機本体、貸ユニット、及びカードユニットに加え、さらに遊技機本体で獲得した金額代替物を計数する計数器を有し、計数器は、ＩＣカードを受け付けると共に受け付けたＩＣカードの種類を識別する受付識別手段と、遊技機本体によって獲得した金額代替物を計数する計数手段と、受付識別手段で金額情報が書き込まれたＩＣカードが識別されたとき、又は金額情報が書き込まれたＩＣカードと金額情報及び貯留情報が書き込まれたＩＣカードとのいずれもが識別されないときに、計数手段で計数された貯留情報を記録した記録媒体を発行する発行手段と、受付識別手段で金額情報及び貯留情報とが書き込まれたＩＣカードが識別されたとき、計数手段で計数された貯留情報をそのまま又は金額情報に変換して書き込む書込手段とを備えたものである。
　【００５０】
　本発明の遊技カードシステムにおける計数器は、受付識別手段が、汎用ＩＣカード又は登録ＩＣカードを受け付けてこれらを識別したか、あるいは汎用ＩＣカード及び登録ＩＣカードのいずれも受け付けていないかを判断している。計数手段にて遊技機本体にて獲得した金額代替物を計数するとき、汎用ＩＣカードを識別した、又は汎用ＩＣカード及び登録ＩＣカードのいずれも受け付けていないときは、発行手段にて貯留情報を記録した記録媒体、例えばレシートやカードを発行する。
　【００５１】
　一方、登録ＩＣカードを識別したとき、つまりここでいう「登録ＩＣカードを受け付けて識別した」とは、その登録ＩＣカードが当該遊技場にて登録されたものであること意味する。よって登録ＩＣカードを受け付け識別したときは、計数手段で計数された金額代替物の貯留情報を、そのまま貯留情報として、又は貯留情報を変換して金額情報として、遊技者の選択で書込手段により登録ＩＣカードに書き込む。
　【００５２】
　また、登録ＩＣカードを有した遊技者が、該登録ＩＣカードを登録した遊技場ではない他の遊技場で、遊技を行うときは、本発明の遊技カードシステムにおいては、この登録ＩＣカードを金額情報に基づいてのみ遊技可能な汎用ＩＣカードとして受け付け識別しているので、金額代替物を獲得したときも、当然に計数器にて当該登録ＩＣカードを汎用ＩＣカードとして受け付けて識別するため、この場合は、発行手段にて記録媒体が発行される。
　【００５３】
　また、計数器において、上記発行手段に代えて、制限発券手段を備えれば、受付識別手段で汎用ＩＣカードが識別されたとき、又は汎用ＩＣカードと登録ＩＣカードとのいずれもが識別されないときは、計数した遊技場でのみ使用可能な新たなＩＣカードに、計数手段で計数した貯留情報をそのまま又は金額情報に変換して書き込んで発券することが可能となり、ＩＣカードのみで対応可能となる。
　【００５４】
　また、計数器において、上記発行手段に代えて、上記した制限発券手段を、計数器の受付識別手段で汎用ＩＣカード、又は登録ＩＣカードのいずれかが識別されたとき、計数手段で計数した貯留情報を、所定レートにて換金するための換金情報に変換して書き込み、受付識別手段で汎用ＩＣカード、登録ＩＣカードのいずれもが識別されないとき、換金情報を書き込み、かつ金額情報が書き込み可能な新たなＩＣカードを発券するようにすれば、より一層、利便性が向上する。
　【００５５】
　このように、本発明の遊技カードシステムは、所定条件として、例えば金額情報が無くなった汎用ＩＣカードを、遊技機本体又は貸ユニットに設けたカードユニットにおける収納貯蔵手段に貯蔵し、該カードユニットから発券することができるので、確実に汎用ＩＣカードを再使用することができ、また、判別手段を介したうえで発券手段から発券されるので、再発券が確実となる。
　【００５６】
　また、本発明の遊技カードシステムは、例えば受け付けた汎用ＩＣカードが汚損、破損などにより再発行不能であったとしても、一旦は収納貯蔵手段にて送り、例えば再発券時に、判別手段にて発券可能か否かを判別して、発券不能な汎用ＩＣカードは回収手段にて回収される、又は例えば収納貯蔵手段へ送られるときに判別手段にて、発券可能か否かを判別して発券不能な汎用ＩＣカードは回収手段にて回収されるので、再発券不能な汎用ＩＣカードの選別と回収が容易となり、不適切な汎用ＩＣカードが出回ることがなくなり、不正に供される可能性につながる滞留枚数を減らすことができる。
　【００５７】
　さらに、再発券回数が一定回数を超えたものについて回収するようにすれば、発券可能回数を調節することで、汎用ＩＣカードの使用毎の単価を自由に調節することができる。
　【００５８】
　【実施例】
　上記で説明した本発明の遊技カードシステムの構成及びその動作の具体的な一実施例を図面を参照して以下に説明する。
　図１は、本発明の遊技カードシステムの概略構成を示す。図２〜図５は、本発明の遊技カードシステムにおける運用手順を示す。なお、以下の説明でパチンコ台１、貸ユニット２、計数器４、及びＩＣカードについて、従来公知の構成や技術及び要旨を離れた詳細な説明については冗長的になるので図示及び説明を省略している。
　【００５９】
　また、本発明の遊技カードシステムで使用されるＩＣカードは、本実施例において、先に定義したが、「金額情報が書き込まれたＩＣカード」である汎用ＩＣカードと、「金額情報及びパチンコ台１によって獲得したパチンコ玉の貯留情報が書き込まれたＩＣカード」である登録ＩＣカードが用いられる。本実施例の説明で、特に汎用ＩＣカードと登録ＩＣカードとを問わない場合は、単にＩＣカードと記すこととする。
　【００６０】
　本実施例における遊技カードシステムは、例えば金額代替物としてパチンコ玉を扱って遊技を行う遊技機本体としての例えばパチンコ台１と、このパチンコ台１にパチンコ玉を貸し出し、該パチンコ台１に隣接して設けられた貸ユニット２と、本実施例では例えば貸ユニット２内に搭載され、ＩＣカードの各種情報によってパチンコ台１及び貸ユニット２を制御するカードユニット３とを有し、これらは不図示のインタフェースによって信号の送受が可能に接続されており、さらに遊技カードシステムには、パチンコ台１にて獲得したパチンコ玉を計数し、遊技場の所定位置に設けられた計数器４を有している。
　【００６１】
　パチンコ台１には、参照番号を付さないが遊技面及びパチンコ玉打球用のハンドルなど通常の遊技を行うための構成を有している他、本発明の遊技カードシステムを採用した本実施例で、遊技中に操作される以下の各操作ボタンを有している。
　【００６２】
　パチンコ台１には、遊技時にカードユニット３に挿入したＩＣカードを遊技者に返却する返却ボタン１Ａ、ＩＣカードの金額情報に基づいて貸ユニット２からパチンコ玉を貸し出させる金額貸玉ボタン１Ｂ、及びＩＣカードの貯留情報に基づいて貸ユニット２からパチンコ玉を貸し出させる貯留貸玉ボタン１Ｃとを有している。
　【００６３】
　貸ユニット２には、後に詳述するカードユニット３を搭載している他、カードユニット３で読み出されたＩＣカードの情報に基づく、前記パチンコ台１の金額貸玉ボタン１Ｂ又は貯留貸玉ボタン１Ｃの操作によってパチンコ玉を貸し出す貸玉部２Ａを有している。
　【００６４】
　カードユニット３は、該カードユニット３を搭載した貸ユニット２の筐体外面に、ＩＣカードを購入するために金額、例えば１００円、５００円硬貨、１０００円、５０００円、１００００円紙幣を投入可能な金額投入部３Ａと、ＩＣカードの挿入又は排出が可能な挿入排出部３Ｂとが設けられている。
　【００６５】
　また、カードユニット３は、該カードユニット３を搭載した貸ユニット２の内部にはＩＣカードを貯蔵したり後述する発券部３ＤにＩＣカードを供給する収納貯蔵手段としての収納貯蔵部３Ｃを備えると共に、前記挿入排出部３Ｂにおける挿入内部に、金額が投入されたときにその情報を書き込んでＩＣカードを発券する発券部３Ｄと、本実施例では、例えば発券部３ＤによるＩＣカードの発券時に該ＩＣカードが発券可能か否かの判別を行う判別部３Ｅとを備えている。
　【００６６】
　なお、この判別部３Ｅによる判別は、後述するＩＣカードを遊技者に返却せずにカードユニット３内の収納貯蔵部３Ｃに送る際に行うようにしてもよい。
　【００６７】
　さらに、カードユニット３は、該カードユニット３を搭載した貸ユニット２の内部に判別部３Ｅにより発券不能と判別されたＩＣカードを挿入排出部３Ｂから回収する例えば箱体でなる回収部３Ｆと、挿入排出部３Ｂ及び発券部３Ｄと収納貯蔵部３ＣとにおいてＩＣカードを搬送する搬送部３Ｇとを備えている。
　【００６８】
　また、カードユニット３は、挿入排出部３Ｂの挿入内部において、挿入排出部３Ｂに外部から挿入されたＩＣカード、及び収納貯蔵部３Ｃから供給され判別部３Ｅにて発券可能と判別されて発券部３Ｄにて発券されたＩＣカードを受け付けると共に、受け付けたＩＣカードの種類を識別する受付識別部３Ｈと、受付識別部３Ｈによって識別されたＩＣカードの種類に応じてＩＣカードから情報を読み出してパチンコ台１及び貸ユニット２を制御する制御部３Ｉとを備えている。
　【００６９】
　さらに、本実施例におけるカードユニット３には、新たに追加投入された金額情報をＩＣカードに追加して書き込む追加書込部３Ｊを設けると共に、パチンコ台１の返却ボタン１Ａを押したときに、ＩＣカードを挿入排出部３Ｂから排出する排出部３Ｋを備えている。
　【００７０】
　計数器４は、本実施例では、例えばＩＣカードを所定条件の下で受け付けると共に受け付けたＩＣカードの種類を識別する受付識別部４Ａと、パチンコ台１によって獲得したパチンコ玉を計数する計数部４Ｂと、この計数部４Ｂによって計数した貯留情報をＩＣカードの種類によって、貯留情報を記録した例えばレシートを発行する発行部４Ｃ及び金額情報と貯留情報とを選択してＩＣカードに書き込む書込部４Ｄとを備えている。
　【００７１】
　図２に示すように、いま、遊技場において、開店時に電源が投入されると、カードユニット３は、ＩＣカードが挿入排出部３Ｂにあるか否かを判断しつつ待機状態となっており（＃１）、ここで、ＩＣカードが挿入排出部３Ｂにある場合は（＃１でＹＥＳ）、受付識別部３Ｈにて、当該ＩＣカードが汎用ＩＣカードか否を識別する（＃２）。
　【００７２】
　＃２において、受付識別部３Ｈで受け付けたＩＣカードが汎用ＩＣカードである場合（＃２でＹＥＳ）、続いて、制御部３Ｉによってその汎用ＩＣカードの金額情報を読み出し、金額情報の有無を確認する（＃３）。＃３で金額情報が有る場合には（＃３でＹＥＳ）、この金額情報の範囲内でパチンコ玉をいくら分貸し出させるかを金額貸玉ボタン１Ｂによって設定する（＃４）。このとき、制御部３Ｉは、いま＃４で貸し出されたパチンコ玉に相当する金額情報を減算して汎用ＩＣカードに書き込む。
　【００７３】
　そして、遊技を開始し（＃５）、遊技中に後述する返却ボタン１Ａを押さない限り、上記＃４で貸し出されたパチンコ玉にて遊技が継続して行われ（＃５でＹＥＳ）、さらに、遊技中にいわゆる大当たりが発生することもなく（＃６でＮＯ）、遊技が行われ、貸し出されたパチンコ玉がある間は（＃７でＹＥＳ）、＃５，＃６を繰り返しパチンコ玉が無くなると（＃７でＮＯ）、汎用ＩＣカードに金額情報が有るか否かを遊技者が判断し（＃８）、金額情報が無い場合（＃８でＮＯ）、今度は金額投入部３Ａに金額を新たに投入して買い足しを行うかを遊技者が選択する（＃９）。
　【００７４】
　＃９で買い足しを行わない場合（＃９でＮＯ）、つまり＃７〜＃９までの所定時間の間買い足しを行うことなく、所定時間が経過すると、挿入排出部３Ｂから当該汎用カードを収納貯蔵部３Ｃへ搬送部３Ｇにより送り（＃１０）、収納貯蔵部３Ｃでは、ＩＣカードが一定量貯蔵されたか否かを判断しており（＃１１）、一定量となるまで収納貯蔵部３ＣにＩＣカードを貯蔵し（＃１１でＮＯ）、そして収納貯蔵部３Ｃに送られたＩＣカードは、次の発券まで収納貯蔵部３Ｃにて待機状態となる。なお、一定量貯蔵したときには（＃１１でＹＥＳ）、その旨連絡するため、遊技場の係員呼び出し処理を行う（＃１２）。
　【００７５】
　また、上記した＃１において、挿入排出部３ＢにＩＣカードが無く（＃１でＮＯ）、さらに、金額投入部３Ａに金額が投入されない場合（＃１３でＮＯ）は、待機状態となり＃１へ戻る。一方、＃１３で金額投入部３Ａに金額が投入された場合は（＃１３でＹＥＳ）、次のような処理が行われる。
　【００７６】
　＃１３で金額が投入されると、収納貯蔵部３ＣからＩＣカードが搬送部３Ｇにより供給され、このとき、判別部３Ｅにて発券可能か否かが判別される（＃１４）。判別部３Ｅで発券可能と判断されると（＃１４でＹＥＳ）、このＩＣカードは、汎用ＩＣカードとして発券部３Ｄにて発券され、制御部３Ｉによって投入した金額情報が書き込まれた後、挿入排出部３Ｂにて受付識別部３Ｈで受け付けられ識別され（＃１５）、その後、パチンコ玉を貸し出すべく＃４へ進み、上記した手順を行う。
　【００７７】
　＃１４で、判別部３Ｅにて収納貯蔵部３Ｃから供給されたＩＣカードが発券不可能であると判断されると（＃１４でＮＯ）、当該ＩＣカードは回収部３Ｆに移され（＃１６）、今後再使用されることなく、メンテナンス時に取り出されるまで回収部３Ｆに貯蓄される。
　【００７８】
　なお、判別部３Ｅにて不可能を判別する条件は、本実施例では、ＩＣカードが所定回数再使用された場合、物理的な損傷などでＩＣカードとの信号送受ができない場合、ＩＣカードにエラー情報が書き込まれている場合、その他カード部分の損傷が有る場合、である。
　【００７９】
　また、上記した＃３において、汎用ＩＣカードに金額情報が無い場合は（＃３でＮＯ）、いま、挿入排出部３Ｂに汎用ＩＣカードが挿入され、受付識別部３Ｈにて受け付けられ識別されている状態において、金額投入部３Ａに所望の金額を投入して買い足しを行う（＃１７）。そして、この買い足しの金額情報が当該汎用ＩＣカードに書き込まれ（＃１８）、その後、パチンコ玉を貸し出すべく＃４へ進み、上記した手順を行う。
　【００８０】
　上記した＃８でパチンコ玉が無くなり、汎用ＩＣカードに金額情報が有る場合には、当該汎用ＩＣカードにおける金額情報からパチンコ玉を貸し出すべく＃４へ進み、上記した手順を行う。
　【００８１】
　上記した＃９で、買い足しを行う場合（＃９でＹＥＳ）、金額投入部３Ａに所望の金額を投入すると、この買い足しの金額情報が当該汎用ＩＣカードに書き込まれ（＃１９）、その後、パチンコ玉を貸し出すべく＃４へ進み、上記した手順を行う。
　【００８２】
　図２にて説明した手順は、予め有している汎用ＩＣカード、又は金額を投入して発券された新たな汎用ＩＣカード、によって遊技を行う場合について説明したが、図２において、ＩＣカードが挿入排出部３Ｂにあり（＃１でＹＥＳ）、受付識別部３Ｈにて、当該ＩＣカードが汎用ＩＣカードでないと識別したときは（＃２でＮＯ）、図３の手順となる。
　【００８３】
　当該ＩＣカードが汎用ＩＣカードでないと識別したとき（＃２でＮＯ）、さらに受付識別部３Ｈは、登録ＩＣカードか否かを識別し（＃２１）、ここで登録ＩＣカードと識別されると（＃２１でＹＥＳ）、続いて、当該登録ＩＣカードが、本遊技場で登録されたものか否かを識別する（＃２２）。この識別は、ＩＣカードの各種の情報における遊技場情報によって行われる。
　【００８４】
　当該登録ＩＣカードが他の遊技場のものであるときは（＃２２でＹＥＳ）、本遊技場においては、当該登録ＩＣカードを汎用ＩＣカードとして扱うべく、図２の＃３に戻り、以降の処理を行う。また、当該登録ＩＣカードが他の遊技場のものでない、つまり登録した遊技場であるときは（＃２２でＮＯ）、登録ＩＣカードにおいて、金額情報で遊技を行うか否かを遊技者が選択する（＃２３）。
　【００８５】
　＃２３で金額情報にて遊技を行うときは（＃２３でＹＥＳ）、金額貸玉ボタン１Ｂを操作し、その旨決定する。これと同時に、制御部３Ｉがその登録ＩＣカードにおける金額情報を読み出し、金額情報の有無を確認する（＃２４）。＃２４で金額情報が有る場合には（＃２４でＹＥＳ）、この金額情報の範囲内でパチンコ玉をいくら分貸し出させるかを上記した金額貸玉ボタン１Ｂの操作で設定する（＃２５）。このとき、制御部３Ｉは、いま＃２５で貸し出されたパチンコ玉に相当する金額情報を減算して登録ＩＣカードに書き込む。
　【００８６】
　そして、遊技を開始し（＃２６）、遊技中に後述する返却ボタン１Ａを押さない限り、上記＃２５で貸し出されたパチンコ玉にて遊技が継続して行われ（＃２６でＹＥＳ）、さらに、遊技中にいわゆる大当たりが発生することもなく（＃２７でＮＯ）、遊技が行われ、貸し出されたパチンコ玉がある間は（＃２８でＹＥＳ）、＃２６，＃２７を繰り返す。
　【００８７】
　一方、遊技によってパチンコ玉が無くなると（＃２８でＮＯ）、登録ＩＣカードに、まず金額情報が有るか否かを遊技者が判断し（＃２９）、金額情報が無い場合（＃２９でＮＯ）、今度は貯留情報が有るか否かを判断し（＃３０）、貯留情報が無い場合（＃３０でＮＯ）、金額投入部３Ａに金額を新たに投入して買い足しを行うかを遊技者が選択する（＃３１）。＃３１で買い足しを行わない場合（＃３１でＮＯ）、挿入排出部３Ｂは登録ＩＣカードを遊技者に返却する（＃３２）。
　【００８８】
　また、上記した＃２１において、挿入排出部３Ｂに汎用ＩＣカードでもなく登録ＩＣカードでもないＩＣカードがある場合は（＃２１でＮＯ）、異常としてこのＩＣカードを回収部３Ｆに回収する（＃３３）。
　【００８９】
　上記した＃２３で、金額情報に基づいて遊技を行わない、つまり貯留貸玉ボタン１Ｃの操作により貯留情報に基づいて遊技を行う旨選択した場合は（＃２３でＮＯ）、それと同時に登録ＩＣカードに貯留情報があるか否かを判断し（＃３４）、貯留情報があれば（＃３４でＹＥＳ）、この貯留情報からどれだけパチンコ玉を貸し出すかを上記した貯留貸玉ボタン１Ｃにより設定し（＃３５）、その後、＃２６に戻り、上記した手順を行う。なお、＃３４で貯留情報が無い場合は（＃３４でＮＯ）、＃２３に戻り以降の手順を行う。
　【００９０】
　＃２４で、登録ＩＣカードに金額情報が無い場合は（＃２４でＮＯ）、金額投入部３Ａに所望の金額を投入して買い足しを行う（＃３６）。そして、この買い足しの金額情報が制御手段３Ｊによって当該登録ＩＣカードに書き込まれ（＃３７）、その後、パチンコ玉を貸し出すべく＃２５へ進み、上記した手順を行う。
　【００９１】
　上記した＃２９でパチンコ玉が無くなり、登録ＩＣカードに金額情報が有る場合には、当該登録ＩＣカードにおける金額情報からパチンコ玉を貸し出すべく＃２５へ戻り、上記した手順を行う。
　【００９２】
　上記した＃３１で、買い足しを行う場合（＃３１でＹＥＳ）、金額投入部３Ａに所望の金額を投入すると、この買い足しの金額情報が制御手段３Ｊによって当該登録ＩＣカードに書き込まれ（＃３８）、その後、パチンコ玉を貸し出すべく＃２５へ戻り、上記した手順を行う。
　【００９３】
　図２の＃５及び図３の＃２６において、遊技を停止するような場合には（＃５でＮＯ、＃２６でＮＯ）、図４に示すように、パチンコ台１の返却ボタン１Ａを押す（＃４１）。このとき、カードユニット３では、汎用ＩＣカードが使用されているときは、金額情報の有無に拘わらず、当該汎用ＩＣカードを排出し、一方、登録ＩＣカードが使用されているときは、金額情報及び貯留情報の有無に拘わらず当該登録ＩＣカードを排出する（＃４２）。
　【００９４】
　さらに、図２の＃６及び図３の＃２７において、パチンコ台１で大当たりし（＃６でＹＥＳ、＃２７でＹＥＳ）、パチンコ玉を貯留するときは、図５に示すように、計数器４へ行き（＃５１）、ここでＩＣカードを有している遊技者は、汎用ＩＣカード又は登録ＩＣカードを受付識別部４Ａに向けて挿入する。
　【００９５】
　ここで、受付識別部４Ａでは、計数を開始するに際して、登録ＩＣカードを識別したか否かを判断し（＃５２）、登録ＩＣカードであれば（＃５２でＹＥＳ）、計数部４Ｂにより計数を開始し（＃５３）、遊技者に計数した貯留情報を金額情報で書き込むか、貯留情報で書き込むかを選択させ（＃５４）、金額情報で書き込むと選択されたときは（＃５４でＹＥＳ）、登録ＩＣカードに貯留情報を金額情報に変換して書込部４Ｃによって書き込む（＃５５）。その後、登録ＩＣカードを遊技者に返却する（＃５６）。一方、＃５４で貯留情報を選択したときは（＃５４でＮＯ）、貯留情報を登録ＩＣカードに書き込み（＃５７）、＃５６に戻る。
　【００９６】
　一方、＃５２で、登録ＩＣカードではないつまり汎用ＩＣカードと識別したとき、又は汎用ＩＣカードと登録ＩＣカードのいずれでもないと識別したときは（＃５２でＮＯ）、計数部４Ｂにより計数し（＃５８）、この貯留情報を発行部４Ｃにより例えばレシートに記録して発行する（＃５９）。このときに、汎用ＩＣカードであれば、遊技者に返却する。又は、登録ＩＣカード以外は、受け付けないようにしてもよい。
　【００９７】
　このように、本発明は、ＩＣカードを簡易に循環させて再使用することで、高価なＩＣカードを有効に使用することができるようにしている。また、買い足しや、登録ＩＣカードにおける、登録遊技場での貯留情報に基づく遊技、遊技途中のＩＣカードの排出、といった機能を加えることで、従来の磁気カードに代えてＩＣカードを採用しても遊技者に不便さや煩わしさを与えることなく、むしろ便利にすることが可能である。さらに、本発明は、計数器を含めた遊技カードシステムとすることで、ＩＣカードの使用範囲がより一層拡大され、有効にＩＣカードを使用することができる。
　【００９８】
　また、本発明の遊技カードシステムは、例えば、上記した計数器４の発行部４Ｃに代えて、制限発券手段としての制限発券部を備えてもよく、このようにすることで、受付識別部４Ａで汎用ＩＣカードが識別されたとき、又は汎用ＩＣカードと登録ＩＣカードとのいずれもが識別されないときには、計数した遊技場でのみ使用可能な新たなＩＣカードに、計数部４Ｂで計数した貯留情報をそのまま又は金額情報に変換して書き込んで発券することが可能となり、ＩＣカードをより有効に活用することができる。
　【００９９】
　さらに、上記した制限発券部を、受付識別部４Ａで汎用ＩＣカード、又は登録ＩＣカードのいずれかが識別されたとき、計数部４Ｂで計数した貯留情報を、所定レートにて換金するための換金情報に変換して書き込み、受付識別部４Ａで汎用ＩＣカード、登録ＩＣカードのいずれもが識別されないとき、換金情報を書き込み、かつ金額情報が書き込み可能な新たなＩＣカードを発券するようにすれば、より一層ＩＣカードの使用有効範囲が拡大される。
　【０１００】
　さらに、上記実施例では、判別部３ＥにおけるＩＣカードの再発券可能か否かの判別を、発券時に行うようにしていたが、この判別は、汎用ＩＣカードにおいて金額情報が無くなり、収納貯蔵部３Ｃに送られる際に行うようにしてもよく、このようにしても、上記同様に、再使用に供されるＩＣカードを適正に発券することができる。
　【０１０１】
　また、本実施例では、カードユニット３を貸ユニット２側に搭載した例を示したが、パチンコ台１側に搭載しても、上記と同様の作用効果を得ることができる。また、上記実施例は、遊技機本体としてパチンコ台１を示したが、例えば遊技機本体をスロット台で金額代替物をメダルとしても、上記と同様の作用効果を得ることができるのは言うまでもない。
　【０１０２】
　また、上記した運用手順は、本発明の遊技カードシステムの構成であれば、例えばＩＣカードの種類を、汎用ＩＣカードや登録ＩＣカードのみならず、さらに多数の種類に分類して付加価値を持たせた場合にも、受付識別部３Ｈによって識別できるので、他の運用手順であっても十分に対応可能であり、本発明は、そうした多数の運用手順に対応させることができ、ＩＣカードのなせる可能性を追求し、より効率のよいものとすることができる。
　【０１０３】
　【発明の効果】
　以上のように、本発明の遊技カードシステムは、遊技機本体、金額代替物を貸し出す貸ユニット、これら遊技機本体又は貸ユニットのいずれかに設けられたカードユニットとを有し、カードユニットに、収納貯蔵手段、発券手段、判別手段、回収手段、受付識別手段、及び制御手段を備えたので、カードユニット内でＩＣカードを循環させて再使用することができ、また、各種のＩＣカードも受け付け、そのＩＣカードを識別して種類に応じた情報に基づいて遊技を行うことが可能となる。
　【０１０４】
　また、本発明の遊技カードシステムは、上記構成において、カードユニットに、新たに追加投入された金額情報をＩＣカードに追加して書き込む追加書込手段を備えたので、現在使用中のＩＣカードで金額を追加し、続けて遊技を行うことができる。
　【０１０５】
　また、本発明の遊技カードシステムは、上記構成において、カードユニットに、排出操作を指示したときに、金額情報が書き込まれたＩＣカードの場合、金額情報の有無に拘わらず使用中のＩＣカードを外部に排出し、また、金額情報及び遊技機本体によって獲得した金額代替物の貯留情報が書き込まれたＩＣカードの場合、金額情報の有無及び金額代替物の貯留情報の有無に拘わらず使用中のＩＣカードを外部に排出する排出手段を備えたので、多数の遊技機本体に対してＩＣカードを使用することが可能となり、ＩＣカードを効率よく使用することができる。
　【０１０６】
　また、本発明の遊技カードシステムは、上記構成に、受付識別手段、計数手段、発行手段、及び書込手段を備えた計数器を備えたので、受付識別手段で金額情報が書き込まれたＩＣカードが識別されたとき、又は金額情報が書き込まれたＩＣカードと金額情報及び貯留情報が書き込まれたＩＣカードとのいずれもが識別されないときに、計数手段で計数された貯留情報を記録した記録媒体を発行し、また、受付識別手段で金額情報と貯留情報とが書き込まれたＩＣカードが識別されたときは、計数手段で計数された貯留情報をそのまま又は金額情報に変換して書き込むことができる。
　【０１０７】
　また、本発明の遊技カードシステムは、発行手段に代えて制限発券手段を備えたので、受付識別手段で金額が書き込まれたＩＣカードが識別されたとき、又は金額情報が書き込まれたＩＣカード、金額情報及び貯留情報が書き込まれたＩＣカードのいずれもが識別されないときには、計数した遊技場でのみ使用可能な新たなＩＣカードに、計数手段で計数した貯留情報をそのまま又は金額情報に変換して書き込んで発券することができ、遊技場において、ＩＣカードのみで遊技から計数までを行うことができる。
　【０１０８】
　また、発行手段に代えた制限発券手段を、受付識別手段で金額情報が書き込まれたＩＣカード、又は金額情報及び貯留情報が書き込まれたＩＣカードのいずれかが識別されたとき、計数手段で計数した貯留情報を、所定レートにて換金するための換金情報に変換して書き込み、受付識別手段で金額情報が書き込まれたＩＣカード、金額情報及び貯留情報が書き込まれたＩＣカードのいずれもが識別されないとき、換金情報を書き込み、かつ金額情報が書き込み可能な新たなＩＣカードを発券するようにすれば、ＩＣカードの使用有効範囲が広がり、利便性も向上する。
【図面の簡単な説明】
　【図１】
　本発明の遊技カードシステムの概略構成を示す図である。
　【図２】
　本発明の遊技カードシステムを採用した遊技場の運用手順であり、主として金額情報を有したＩＣカードを有した、又はＩＣカードを有していない状態での手順を示す図である。
　【図３】
　本発明の遊技カードシステムを採用した遊技場の運用手順であり、主として金額情報及び貯留情報を有したＩＣカードを有した状態での手順を示す図である。
　【図４】
　本発明の遊技カードシステムを採用した遊技場の運用手順であり、主として遊技を途中で終了する場合の手順を示す図である。
　【図５】
　本発明の遊技カードシステムを採用した遊技場の運用手順であり、主として遊技機本体で大当たりし、その貯留情報を計数器で計数する場合の手順を示す図である。
　【符号の説明】
　１　　パチンコ台（遊技機本体）
　２　　貸ユニット
　３　　カードユニット
　３Ｃ　収納貯蔵部（収納貯蔵手段）
　３Ｄ　発券部（発券手段）
　３Ｅ　判別部（判別手段）
　３Ｆ　回収部（回収手段）
　３Ｇ　搬送部（搬送手段）
　３Ｈ　受付識別部（受付識別手段）
　３Ｉ　制御部（制御手段）
　３Ｊ　追加書込部（追加書込手段）
　３Ｋ　排出部（排出手段）
　４　　計数器
　４Ａ　受付識別部（受付識別手段）
　４Ｂ　計数部（計数手段）
　４Ｃ　発行部（発行手段）
　４Ｄ　書込部（書込手段）